【手続補正書】
【提出日】平成18年7月3日(2006.7.3)
【手続補正１】
【補正対象書類名】特許請求の範囲
【補正対象項目名】全文
【補正方法】変更
【補正の内容】
【特許請求の範囲】
【請求項１】
上面、底面、第一側部および対向する第二側部、ならびに二つの対向端を有するボックスシーツであって、前記端はマットレスの対向端に密着して装着するように適応されたポケットを画定する、ボックスシーツと、
上面、底面、頂縁、底縁、右縁および長手方向中線を有する第一毛布であって、前記第一毛布の中線は、前記ボックスシーツの上面に縫着され、第一および第二毛布半体を画定する、第一毛布と、
前記頂縁に沿った上部開口部および前記底縁に沿った下部開口部を画定するために前記第一および第二毛布半体が互いに重なり合う位置に配置されたときに、前記第一毛布の前記第一および第二毛布半体を一時的に結束するための、前記第一毛布半体の上面および前記第二毛布半体の底面に配置された毛布締結手段と、
各々が第一端および第二端を有し、前記第一端は前記ボックスシーツの第一側部に固定的に取り付けられている、複数のストラップと、
前記ストラップの各々の第二端を前記ボックスシーツの第二側部に着脱自在に取り付けるためのストラップ締結手段と、
を含み、それによって、前記ボックスシーツをマットレスに固定することができ、乳幼児を睡眠中に仰臥位に維持するために、前記毛布の前記第一および第二毛布半体で乳幼児を包み込み、前記半体を前記毛布締結手段によって固定することができる、乳幼児用の安全シーツおよび毛布複合体。
【請求項２】
前記毛布締結手段が、前記毛布の二つの半体に配置されたフックアンドループ締結材の係合帯片を含む、請求項１に記載の安全シーツおよび毛布複合体。
【請求項３】
前記ストラップ締結手段が、前記ボックスシーツの第二側部および各々の前記ストラップの第一端に配置されたフックアンドループ締結材の係合帯片を含む、請求項１に記載の安全シーツおよび毛布複合体。
【請求項４】
前記ボックスシーツのポケットの周囲に配置された弾性帯をさらに含む、請求項１に記載の安全シーツおよび毛布複合体。
【請求項５】
前記ストラップが弾性材料から作られる、請求項１に記載の安全シーツおよび毛布複合体。
【請求項６】
前記シーツの前記対向側部に沿って配置された複数のグロメットをさらに含む、請求項１に記載の安全シーツおよび毛布複合体。
【請求項７】
前記シーツおよび前記毛布が、綿、ウール、ポリエステル、シルク、およびナイロンから成る群から選択された材料で作られる、請求項１に記載の安全シーツおよび毛布複合体。
【請求項８】
前記第一毛布上に配置される第二毛布をさらに含み、
前記第一毛布と前記第二毛布との間に少なくとも一つの鞘が画定される、請求項１に記載の安全シーツおよび毛布複合体。
【請求項９】
前記第一毛布と前記第二毛布との間に三つの鞘が画定される、請求項８に記載の安全シーツおよび毛布複合体。
【請求項１０】
前記第一毛布と前記第二毛布との間に画定される少なくとも一つの鞘に挿入される支持材をさらに含む、請求項８に記載の安全シーツおよび毛布複合体。
【請求項１１】
前記支持材が気泡ゴムである、請求項１０に記載の安全シーツおよび毛布複合体。
【請求項１２】
前記支持材がエッグクレート型気泡ゴムである、請求項１０に記載の安全シーツおよび毛布複合体。
【請求項１３】
前記支持材がトラップエアを利用したパッド装置である、請求項１０に記載の安全シーツおよび毛布複合体。
【請求項１４】
前記支持材がコールドパックである、請求項１０に記載の安全シーツおよび毛布複合体。
【請求項１５】
前記支持材がホットパックである、請求項１０に記載の安全シーツおよび毛布複合体。
【請求項１６】
前記第一毛布の幅を低減するための、前記第一毛布半体の底面および前記第二毛布半体の上面に配置されたスナップファスナをさらに含む、請求項１に記載の安全シーツおよび毛布複合体。
【請求項１７】
上面、底面、一つの閉端、および前記上面と底面との間に位置する一つの開口端によって画定される開口部を有する略長方形の布袋であって、体を支える寝具材を取り外し自在に挿入することができる、布袋と、
上面、底面、頂縁、底縁、左縁、右縁、および長手方向中線を有する長方形の毛布であって、前記毛布の中線は、前記布袋の上面に縫着され、第一および第二毛布半体を画定する、毛布と、
前記第一および第二毛布半体が互いに重なり合う位置に配置され、前記頂縁に沿った上部開口部および前記底縁に沿った下部開口部を画定するときに、第一および第二毛布半体を一時的に結束するための、前記第一毛布半体の上面および前記第二毛布半体の底面に配置された毛布締結手段と、
を含み、それによって、乳幼児を睡眠中に仰臥位に維持するために、前記毛布の第一および第二半体で乳幼児を包み込み、前記半体を前記毛布締結手段によって固定することができる、乳幼児用の安全シーツおよび毛布複合体。
【請求項１８】
前記毛布締結手段が、前記毛布の第一および第二半体に配置されたフックアンドループ締結材の係合帯片を含む、請求項１７に記載の安全シーツおよび毛布複合体。
【請求項１９】
前記布袋および前記毛布が、綿、ウール、ポリエステル、シルク、およびナイロンから成る群から選択された材料で作られる、請求項１７に記載の安全シーツおよび毛布複合体。
【請求項２０】
前記布袋の開口部を通して挿入される寝具材をさらに含む、請求項１７に記載の安全シーツおよび毛布複合体。
【請求項２１】
前記寝具材が、バシネットパッド、および小さなマットレスから成る群から選択される、請求項２０に記載の安全シーツおよび毛布複合体。
【請求項２２】
前記毛布の幅を低減するための、前記第一毛布半体の底面および前記第二毛布半体の上面に配置されたスナップファスナをさらに含む、請求項１７に記載の安全シーツおよび毛布複合体。
【請求項２３】
上面、底面、および二つの対向端を有するフラットシーツと、
一方の前記対向端を他方の前記対向端に取り付けるための端取付け手段と、
前記フラットシーツに配置された複数のアパーチャと、
上面、底面および長手方向中線を有する長方形の第一毛布であって、前記中線に沿って、前記シーツの上面に縫着され、二つの半体を画定する、第一毛布と、
前記二つの半体で乳幼児を包み込むときに、前記第一毛布の二つの半体を一時的に結束するための毛布締結手段と、
を含み、それによって、乳幼児を睡眠中に仰臥位に維持するために、前記毛布の二つの半体で乳幼児を包み込み、前記半体を前記毛布締結手段によって固定することができる、
乳幼児用の安全シーツおよび毛布複合体。
【請求項２４】
前記端取付け手段は、フックアンドループ締結材の係合帯片を含み、前記フック材は、前記フラットシーツの一方の対向端に取り付けられ、少なくとも一つのループ材は、前記フラットシーツの他方の対向端に取り付けられ、
対向端の前記フック材および少なくとも一つのループ材を寝床面の裏面で締結することによって、前記フラットシーツが寝床面の周囲に固定される、請求項２３に記載の安全シーツおよび毛布複合体。
【請求項２５】
前記アパーチャに通される複数のストラップをさらに含み、
前記ストラップを寝床面の支持フレーム部材に締結することによって、前記フラットシーツが寝床面の周囲に固定される、請求項２３に記載の安全シーツおよび毛布複合体。
【請求項２６】
前記シーツの対向縁に沿って配置された複数のリングと、
前記リングに着脱自在に連結した複数のストラップとをさらに含み、
前記ストラップを寝床面の支持フレーム部材に締結することによって、前記フラットシーツが寝床面の周囲に固定される、請求項２３に記載の安全シーツおよび毛布複合体。
【請求項２７】
前記シート上に配置された複数の第一ファスナと、
各々が、前記第一ファスナと着脱自在に取り付けられる第二ファスナを含む少なくとも一つの端を有する、複数のストラップとをさらに含み、
前記ストラップを寝床面の支持フレーム部材に締結することによって、前記フラットシーツが寝床面の周囲に固定される、請求項２３に記載の安全シーツおよび毛布複合体。
【請求項２８】
前記第一毛布の幅を低減するための、前記第一毛布半体の底面および前記第二毛布半体の上面に配置されたスナップファスナをさらに含む、請求項２３に記載の安全シーツおよび毛布複合体。
【請求項２９】
選択的に前記第一毛布の幅を低減するための、前記各対向端に沿って前記フラットシーツ上に配置された第一および第二スナップファスナをさらに含む、請求項２３に記載の安全シーツおよび毛布複合体。
【請求項３０】
上面、底面、および二つの対向端を有するフラットシーツであって、前記フラットシーツの対向端に沿って配置された複数のフックアンドループ材片を有する、フラットシーツと、
上面、底面、および長手方向中線を有する毛布であって、前記シーツの上面に縫着され、少なくとも二つの毛布部分を画定する、毛布と、
前記二つの毛布部分で乳幼児を包み込むときに、前記二つの毛布部分を一時的に結束するための毛布締結手段と、
寝床面に巻き付けるように適応された複数のストラップであって、各ストラップは上面、底面、および二つの対向端を有し、各々の前記ストラップの端の少なくとも一つが、前記フラットシーツへの着脱自在の取付けのために、そこに取り付けられたフックアンドループ材の帯片を有するストラップを含む、前記シーツを寝床面に取り付けるための手段と、
各々の前記ストラップが連結しているフラットスペーサと
を含み、それによって、乳幼児を睡眠中に仰臥位に維持するために、前記毛布の二つの部分で乳幼児を包み込み、前記部分を前記毛布締結手段によって固定することができる、
乳幼児用の安全シーツおよび毛布複合体。
【請求項３１】
各々の前記ストラップが前記スペーサに取り付けられている、請求項３０に記載の安全シーツおよび毛布複合体。
【請求項３２】
前記スペーサが複数のアパーチャを含み、各々の前記ストラップが、前記スペーサの前記アパーチャの一つに通されている、請求項３０に記載の安全シーツおよび毛布複合体。
【請求項３３】
前記毛布の幅を低減するための、前記第一毛布部分の上面および底面、ならびに前記第二毛布部分の上面および底面に配置されたスナップファスナをさらに含む、請求項３０に記載の安全シーツおよび毛布複合体。
【請求項３４】
選択的に前記フラットシーツの幅を低減するための、前記フラットシーツ上に前記各々の対向端に沿って配置された第一および第二ファスナをさらに含む、請求項３０に記載の安全シーツおよび毛布複合体。
【請求項３５】
上面および底面を有し、底面はマットレスに接触しているシーツと、
上面、底面、ならびに頂縁を有する毛布であって、毛布の底面はシーツの上面に縫着され、少なくとも第一毛布および第二毛布を画定する、毛布と、
前記第一毛布上に配置された第一毛布ファスナと、
前記第二毛布上に配置された第二毛布ファスナであって、第一毛布と第二毛布とが互いに重なり合う位置に配置されるときに、第一毛布ファスナおよび第二毛布ファスナが着脱自在に取付け可能であり、頂縁に沿って上部開口部を画定する、第二毛布ファスナと
を含み、それによって、乳幼児を睡眠中に仰臥位に維持するために、第一毛布および第二毛布で乳幼児を包み込み、前記毛布を第一毛布ファスナおよび第二毛布ファスナによって固定することができる、乳幼児用の安全シーツおよび毛布複合体。
【請求項３６】
前記毛布上に配置された第四毛布をさらに含み、前記毛布と前記第四毛布との間に少なくとも一つの鞘が画定される、請求項３５に記載の安全シーツおよび毛布複合体。
【請求項３７】
前記毛布と前記第二毛布との間に画定される少なくとも一つの鞘に挿入される支持材をさらに含む、請求項３６に記載の安全シーツおよび毛布複合体。
【請求項３８】
前記支持材が、気泡ゴム、エッグクレート型気泡ゴム、トラップエアを利用したパッド装置、コールドパック、およびホットパックから選ばれる少なくとも一つである、請求項３７に記載の安全シーツおよび毛布複合体。
【請求項３９】
前記シーツが、マットレスの上面に完全に巻き付けられる、請求項３５に記載の安全シーツおよび毛布複合体。
【請求項４０】
各々が前記ボックスシーツの第一側部に固定的に取り付けられた第一端を有し、かつ第二端を有する複数のストラップと、
各々の前記ストラップの第二端を前記シーツの第二側部に着脱自在に取り付けるためのストラップ締結手段であって、それによってシーツがマットレスに固定されるストラップ締結手段とをさらに含む、請求項３５に記載の安全シーツおよび毛布複合体。
【請求項４１】
前記シーツがボックスシーツである、請求項３５に記載の安全シーツおよび毛布複合体。
【請求項４２】
前記シーツが、上面、底面、一つの閉端、および上面と底面との間に位置する一つの開口端によって画定される開口部を有する略長方形の布袋であって、てマットレスが取り外し自在に挿入されている、請求項３５に記載の安全シーツおよび毛布複合体。
【請求項４３】
前記毛布が、着脱自在にシーツに取り付けられている、請求項３５に記載の安全シーツおよび毛布複合体。
【請求項４４】
上面および底面を有するシーツであって、底面はマットレスに接触している、シーツと、
上面、底面、および頂縁を有する毛布であって、少なくとも一つの鞘が毛布内に画定され、前記底面はシーツの上面に縫着され、少なくとも第一毛布および第二毛布を画定する毛布と、
前記毛布内に画定された少なくとも一つの鞘に挿入された支持材と、
前記第一毛布上に配置された第一毛布ファスナと、
前記第二毛布上に配置された第二毛布ファスナであって、第一毛布と第二毛布とが互いに重なり合う位置に配置されるときに、第一毛布ファスナおよび第二毛布ファスナは着脱自在に取付け可能であり、頂縁に沿って上部開口部を画定する、前記第二毛布上に配置された第二毛布ファスナと
を含み、それによって、乳幼児を睡眠中に仰臥位に維持するために、第一および第二毛布で乳幼児を包み込み、前記毛布を第一および第二毛布ファスナによって固定することができる、乳幼児用の安全シーツおよび毛布複合体。
【請求項４５】
上面および底面を有するシーツであって、底面はマットレスに接触し、マットレスの上面に完全に巻き付けられる、シーツと、
上面、底面、および頂縁を有する第一毛布であって、前記底面は着脱自在にシーツの上面に取り付けられている、第一毛布と、
上面、底面、および頂縁を有する第二毛布であって、前記底面は着脱自在に第一毛布に取り付けられ、少なくとも二つの毛布部分を画定する、第二毛布と、
を含み、一つの毛布部分と他の毛布部分とが互いに重なり合う位置にあるときに、頂縁に沿って上部開口部を画定し、
それによって、乳幼児を睡眠中に仰臥位に維持するために、第二毛布が乳幼児を包み込み、固定することができる、乳幼児用の安全シーツおよび毛布複合体。
【請求項４６】
前記第一毛布と前記第二毛布との間に少なくとも一つの鞘が画定される、請求項４５に記載の安全シーツおよび毛布複合体。